(57)【要約】  【課題】  放熱性を維持しつつ部品コストを削減した光ピックアップを提供することである。  【解決手段】  光ピックアップは、ＬＤ１０と、ＬＤ１０を固定する金属製のＬＤプレート１３と、ＬＤ１０及びＬＤプレート１３を搭載する樹脂製のベース１１と、内周面がＬＤ１０の外周に接触するように折れ曲がっているとともに、ＬＤプレート１３とベース１１との間に挟まれる板金製のドーナツ型の放熱板１２とを備えた構成とする。【選択図】      図３
2006216114.tif 000002
【特許請求の範囲】
【請求項１】
ＬＤと、該ＬＤを固定する金属製のＬＤプレートと、前記ＬＤ及び前記ＬＤプレートを
搭載する樹脂製のベースとを備えた光ピックアップを搭載した光ディスク装置において、
内周面が前記ＬＤの外周に接触するように折れ曲がっているとともに、前記ＬＤプレー
トと前記ベースとの間に挟まれる板金製のドーナツ型の放熱板を設けたことを特徴とする
光ディスク装置。
【請求項２】
ＬＤと、該ＬＤを固定するＬＤプレートと、前記ＬＤ及び前記ＬＤプレートを搭載する
ベースとを備えた光ピックアップにおいて、
前記ＬＤに接触する板金製の放熱板を設けたことを特徴とする光ピックアップ。
【請求項３】
前記放熱板は、前記ＬＤの外周に接触することを特徴とする請求項２記載の光ピックア
ップ。
【請求項４】
前記放熱板は、前記ＬＤプレートと前記ベースとの間に挟まれていることを特徴とする
請求項２又は３記載の光ピックアップ。
【請求項５】
請求項２〜４の何れかに記載の光ピックアップを搭載したことを特徴とする光ディスク
装置。
【発明の詳細な説明】
【技術分野】
【０００１】
本発明は、光ピックアップ及びそれを備えた光ディスク装置に関し、詳細には光ピック
アップのＬＤの放熱構造に関するものである。
【背景技術】
【０００２】
ＣＤ、ＤＶＤ等の光ディスクの記録・再生には光ピックアップが用いられる。図４は、
従来の光ピックアップの分解斜視図である。光ピックアップ１００は、ベース１０１と、
ＬＤ（Laser Diode）１０２と、ＬＤホルダ１０３と、ＬＤプレート１０４と、コリメー
トレンズ１０５と、ハーフミラー１０６と、アップミラー１０７と、ＦＰＣ１０８と、Ｐ
ＤＩＣ１０９とを備える。
【０００３】
図５（ａ）は図４の要部断面図、図５（ｂ）は図５（ａ）の底面図である。ＬＤ１０２
がＬＤホルダ１０３に装着され、ＬＤホルダ１０３とＬＤプレート１０４とベース１０１
とが固定されている。図４ではネジで固定されているが、接着剤等で固定してもよい。こ
こで、ＬＤホルダ１０３は亜鉛ダイキャスト等の金属成型品であり、ベース１０１はＰＰ
Ｓ等の樹脂製である。ＬＤホルダ１０３を金属製とすることにより、放熱性を向上させて
いる。また、ベース１０１は複雑な形状であるため安価で加工しやすい樹脂製としている
。
【０００４】
また特許文献１にも、上記のＬＤホルダのような素子ホルダが用いられた光ヘッド装置
が開示されている。
【０００５】
また特許文献２には、半導体レーザとこれに隣接した隣接部との間に熱伝導性樹脂を介
在させた光ピックアップが開示されている。熱伝導性樹脂で隙間を埋めることにより放熱
性を向上させている。
【特許文献１】特開２００３−１８７４７９号公報
【特許文献２】特開２００３−２７２２０８号公報
【発明の開示】
【発明が解決しようとする課題】
【０００６】
図４や特許文献１の構成では、ＬＤホルダ（特許文献１では素子ホルダ）が用いられて
いるので放熱性は向上するが、部品のコストが上がる。一方、コストを削減するためＬＤ
ホルダを用いずにＬＤを直接ベースに装着すると放熱性が悪くＬＤの性能に悪影響を及ぼ
す。
【０００７】
また特許文献２のように熱伝導性樹脂を用いるとＬＤホルダよりもコストは掛からない
が放熱性が劣る。
【０００８】
本発明は、放熱性を維持しつつ部品コストを削減した光ピックアップを提供することを
目的とする。またその光ピックアップを備えた光ディスク装置を提供することも目的とす
る。
【課題を解決するための手段】
【０００９】
上記目的を達成するために本発明の光ピックアップは、ＬＤと、該ＬＤを固定するＬＤ
プレートと、前記ＬＤ及び前記ＬＤプレートを搭載するベースとを備えた光ピックアップ
において、前記ＬＤに接触する板金製の放熱板を設けたことを特徴とする。
【００１０】
この構成によると、ＬＤで発生した熱が放熱板に伝導して放熱される。
【００１１】
なお、前記放熱板は、前記ＬＤの外周に接触させることが、接触面積を拡大し放熱性を
向上させるので望ましい。
【００１２】
また、前記放熱板は、前記ＬＤプレートと前記ベースとの間に挟まれていることを特徴
とする。
【００１３】
この構成によると、放熱板に伝導した熱が更にＬＤプレートに伝導するので放熱効率が
向上する。
【００１４】
また本発明の光ディスク装置は、上記の光ピックアップを搭載したことを特徴とする。
【００１５】
また本発明の光ディスク装置は、ＬＤと、該ＬＤを固定する金属製のＬＤプレートと、
前記ＬＤ及び前記ＬＤプレートを搭載する樹脂製のベースとを備えた光ピックアップを搭
載した光ディスク装置において、内周面が前記ＬＤの外周に接触するように折れ曲がって
いるとともに、前記ＬＤプレートと前記ベースとの間に挟まれる板金製のドーナツ型の放
熱板を設けたことを特徴とすることによって、具体化される。
【発明の効果】
【００１６】
本発明によると、光ピックアップに、従来の金属成型品のＬＤホルダに代えて板金部品
の放熱板を用いることにより、成型が容易になるとともに安価な材料を少量用いることで
部品コストを削減できる。また、ＬＤの外周と放熱板の接触部とが接触するので接触面積
が大きくなり、更に良熱伝導性の材料を用いることで放熱性を維持することができる。
【発明を実施するための最良の形態】
【００１７】
図１（ａ）はＬＤとベースの断面図、図１（ｂ）は図１（ａ）の底面図、図２（ａ）は
ＬＤとベースと放熱板の断面図、図２（ｂ）は図２（ａ）の底面図、図３（ａ）はＬＤと
ベースと放熱板とＬＤプレートの断面図、図３（ｂ）は図３（ａ）の底面図である。光ピ
ックアップの全体図は図４のＬＤホルダ１０３を放熱板に変更したものであるので省略す
る。
【００１８】
ＬＤ１０は円盤状の金属製の基台１０ａを有する。この基台１０ａ部分が図１に示すよ
うに、ベース１１に挿嵌される。次に、図２に示すように、ＬＤ１０の基台１０ａ部分の
外周に接触するように、放熱板１２が挿嵌される。そして、図３に示すように、ＬＤプレ
ート１３が放熱板１２を介してベース１１にネジ（図４参照）で固定される。
【００１９】
ＬＤ１０は、基台１０ａの一部に切り欠き１０ｂを有し、この切り欠き１０ｂがベース
の突起１１ａと嵌合してＬＤ１０がベース１１に対して位置決めされる。
【００２０】
ベース１１は樹脂製であり、例えばＰＰＳが用いられる。ベース１１は、ＬＤ１０を挿
嵌する開口部に突起１１ａ〜１１ｅを有しており、突起１１ｂ〜１１ｅでＬＤ１０を支持
している。
【００２１】
放熱板１２は板金製のドーナツ型であり、放熱性の良い材料を用いることが好ましく、
例えばアルミニウムが用いられる。板金時には金属板を金型で１度打ち抜くだけでドーナ
ツ型の放熱板１２を得ることができる。放熱板１２の内周面はＬＤ１０の外周に接触する
ように９０°折れ曲がった接触部１２ａ〜１２ｃで形成されている。この接触部１２ａ〜
１２ｃは、ベース１１とＬＤ１０との隙間であるベース１１の切り欠き１１ｆ〜１１ｈに
挿入され、ＬＤ１０の外周に接触する。
【００２２】
放熱板１２はＬＤ１０で発生する熱を奪いＬＤ１０の放熱を助ける部材であるため、で
きるだけ大きいことが望ましいが、大きくするほど設置面積が大きくなり光ピックアップ
自体が大きくなるので、放熱性と設置面積とを考慮して適切な大きさとする必要がある。
なお、放熱板１２の形状には特に限定はなく、ＬＤ１０とできるだけ大きな接触面積を有
することが放熱性の点から好ましい。また、放熱板１２はＬＤ１０の基台１０ａに接触し
ていれば基台１０ａの底面に接触していてもよい。
【００２３】
ＬＤプレート１３は金属製であり、ＬＤ１０及び放熱板１２をベース１１に固定するも
のである。固定にはネジや接着剤を用いることができる。またＬＤプレートは金属製であ
るので放熱板１２の熱を奪い放熱を助ける役割もある。
【００２４】
このように、光ピックアップに、従来の金属成型品のＬＤホルダに代えて板金部品の放
熱板１２を用いることにより、成型が容易になるとともに安価な材料を少量用いることで
部品コストを削減できる。また、ＬＤ１０の外周と放熱板１２の接触部１２ａ〜１２ｃと
が接触するので接触面積が大きくなり、更に良熱伝導性の材料を用いることで放熱性を維
持することができる。
【産業上の利用可能性】
【００２５】
本発明の光ピックアップは、ＬＤが樹脂製のベースに搭載される仕様に利用することが
でき、ＣＤ、ＤＶＤをはじめ様々な光ディスク装置に搭載することができる。
【図面の簡単な説明】
【００２６】
【図１】（ａ）はＬＤとベースの断面図、（ｂ）は図１（ａ）の底面図である。
【図２】（ａ）はＬＤとベースと放熱板の断面図、（ｂ）は図２（ａ）の底面図である。
【図３】（ａ）はＬＤとベースと放熱板とＬＤプレートの断面図、（ｂ）は図３（ａ）の底面図である。
【図４】は従来の光ピックアップの分解斜視図である。
【図５】（ａ）は図４の要部断面図、（ｂ）は図５（ａ）の底面図である。
【符号の説明】
【００２７】
１０    ＬＤ
１１    ベース
１２    放熱板
１３    ＬＤプレート
【図１】
2006216114.tif 000003
【図２】
2006216114.tif 000004
【図３】
2006216114.tif 000005
【図４】
2006216114.tif 000006
【図５】
2006216114.tif 000007